(57)【要約】【課題】三線は沖縄の伝統楽器である。三線と三線の楽譜である工工四は琉球古典音楽や琉球民謡には欠かせない楽器および楽譜である。琉球古典音楽の三線奏者は人間国宝にも指定されており貴重な文化遺産である。  また、近年、三線が全国的ブームとなり三線の用途も琉球古典音楽や沖縄民謡にとどまらず幅広く演奏されている。  しかし、工工四は独特の表記法により記述されている、また、三線は楽曲によって調弦が必要である、さらに弦を押さえる位置すなわち勘所が表示されていないため、感を頼りに弦を押さえる位置を特定しないといけない。  以上のことから三線は初心者にとって学びにくい現状がある。【解決手段】三線の演奏情報の記憶手段と、演奏情報を表示する手段と、演奏情報を音として出力する手段と、調弦の種類を選択する手段とを具備する三線練習支援装置を提供する。【選択図】図１
2009092988.tif 000002
【特許請求の範囲】
【請求項１】
三線の演奏情報の記憶手段と、演奏情報を表示する手段と、演奏情報を音として出力する手段と、調弦の種類を選択する手段とを具備する三線練習支援装置。
【請求項２】
三線の楽譜を元に作成した演奏情報データの記憶手段と、
工工四を表示する表示部と三線の勘所に対応したスイッチと弦の撥弦により演奏情報を検出する演奏部とを同期させることにより現在の演奏情報と次に演奏すべき工工四を表示部に同時に表示させる手段と、
演奏部の演奏情報と表示部の現在の演奏情報と同期して工工四の楽譜に対応した音声データを出力し音として確認できる手段と、
三線の棹の部分に埋め込んだ発光体により現在の演奏情報と次に演奏すべき演奏情報を表示画面の工工四と同期させて光らす手段と、
楽曲の種類によって表示部から調弦の種類が選択できる手段とを具備することを特徴とする三線演奏の支援をする請求項１に記載の三線練習支援装置。
【請求項３】
三線の楽譜である工工四をもとに作成した演奏情報データの記憶手段を具備する前記請求項１及び請求項２に記載の三線練習支援装置。
【請求項４】
演奏情報として楽曲全体の工工四表示と現在演奏されている工工四表示、次に演奏する工工四表示および、次に押さえる三線の勘所を表示し、楽曲の演奏の進行に応じて前記演奏情報の記憶情報を呼び出して、これらの表示を更新する制御手段とを具備する前記請求項１、請求項２及び請求項３に記載の三線練習支援装置。
【請求項５】
表示部の表示画面から調弦の種類として本調子、一揚げ調子、二揚げ調子、三下げ調子の中からいずれかを選択することができ、選択した調弦の種類に応じて三線の各勘所に対応した音を音声データとして出力し音で確認できる手段を具備した前記請求項１、請求項２、請求項３及び請求項４に記載の三線練習支援装置。
【請求項６】
前記表示を更新する制御手段において、表示画面から演奏モードの選択により演奏者の演奏の進行に応じて表示を更新する方法と演奏者の演奏に関係なく楽曲を自動的に演奏する手段を具備した前記請求項１、請求項２、請求項３、請求項４及び請求項５に記載の三線練習支援装置。
【請求項７】
演奏者が演奏した楽曲を演奏情報データとして記憶する手段と記憶した演奏情報データを再生して音として確認できる手段を具備した前記請求項１、請求項２、請求項３、請求項４、請求項５及び請求項６に記載の三線練習支援装置。
【請求項８】
三線の演奏情報の記憶ステップと、演奏情報を表示するステップと、演奏情報を音として出力するステップと、調弦の種類を選択するステップとをコンピュータに実行させることを特徴とするコンピュータプログラム。
【発明の詳細な説明】
【技術分野】
【０００１】
本発明は三線を練習するための電子支援装置に関する。
【背景技術】
【０００２】
三線（サンシンと読む）は沖縄独自の伝統楽器である。沖縄の三線と三線の楽譜である工工四（クンクンシーと読む）は中国から伝来したといわれており、工工四の表記方法は漢字の羅列によるもので難解である。楽器を演奏するときには楽譜を見ながら繰り返し練習するのが一般的である、楽器演奏の基本になるのは楽譜であり楽譜を理解することが楽器演奏の第一歩である。また、近年インターネット販売等により三線の需要が全国的な広がりを見せている、しかし沖縄県外においては三線の指導者や三線教室が少ないため初心者にとっては三線の習得に困難をきたしている。
【０００３】
前記したように三線の楽譜である工工四は独特の表記法であり難解である。その解決手段として従来技術として三線の３本の弦に対応する３本の平行線からなる三線譜を表示して、下側の第一線を三線の第一弦に対応させ、真中の第二線を三線の第二弦に対応させ、上側の第三線を三線の第三弦に対応させる、そして弦を押す各指を数字で表現し、三線の各弦に対応するそれぞれの線上に、三線のそれぞれの弦を押すべき指を数字で表示し、指で押すべき弦や指位置が一目で視覚的に判断できるようにした方法（特許文献１）、（特許文献２）がとられている。
【０００４】
【特許文献１】特開平９−３０５１６７号公報
【０００５】
【特許文献２】特開２００７−１７９２０号公報
【０００６】
しかし、前記手段では過去の遺産として蓄積された膨大な楽曲の工工四を全て新たな楽譜へと書き換える必要があり、また三線の基本である工工四を理解することができない。
【０００７】
また、三線には工工四に対応して弦を指で押さえる場所すなわち勘所の表示がないため初心者にとって勘所を探りながら演奏することになり独学での練習は時間と根気を要する。その解決手段として表示画面へ工工四を表示する手段（特許文献３）や、パネル上に描かれた三線のイラスト上の勘所にあたる位置にLEDを配置して、LEDの点灯した位置と同じ勘所に当たる実際の三線の勘所を押さえていくだけで曲を独習する手段がある。（特許文献４）
【０００８】
【特許文献３】特開２００７−５２３８１号公報
【０００９】
【特許文献４】実用新案登録第３１２６１４９号公報
【００１０】
しかし、この手段では視覚的に三線の勘所を示すだけで、実際の演奏したときの演奏を確認することができない、したがって演奏が正しく行われているかどうかの確認ができない。
【００１１】
さらに、前記手段では、工工四の表示、勘所の表示及び勘所を示すLEDの表示が演奏者の演奏と同期していないため演奏者が演奏に行き詰まったときも、工工四の表示、勘所の表示及び勘所を示すLEDの表示が先へ進んでしまい、演奏者は練習に行き詰まってしまう。
【００１２】
三線で楽曲を演奏する際に、まず最初に行うのが調弦である。しかし、調弦を正しく行うには訓練が必要であり、初心者にとっては三線を演奏する場合の最初のハードルになっている。
【発明の開示】
【発明が解決しようとする課題】
【００１３】
本発明は前記した様に、初心者が三線演奏の習得に困難をきたしていること、工工四が難解なため新たな楽譜へ書き換える必要があること、勘所を視覚的に表示するだけでは実際に演奏したとき演奏が正しく行われているか確認できないこと、勘所の表示方法が演奏者の演奏と同期していないため演奏に行き詰まってしまうこと、調弦が三線を演奏する場合の最初のハードルになっていることが課題である。これらの課題に鑑み、三線を演奏する人が工工四を理解していなくても、また勘所を覚えていなくても、さらに調弦の経験がなくても、本装置の表示部が示すとおりに、および三線の棹に配置した発光体の示すとおりに三線を操作することによって短期間で容易に三線演奏を習得することを目的とする。
【課題を解決するための手段】
【００１４】
上記課題を解決するための、第１の発明は、三線の演奏情報の記憶手段と、演奏情報を表示する手段と、演奏情報を音として出力する手段と、調弦の種類を選択する手段とを具備することを特徴とする。
【００１５】
第２の発明は、三線の楽譜を元に作成した演奏情報データの記憶手段と、
工工四を表示する表示部と三線の勘所に対応したスイッチと弦の撥弦により演奏情報を検出する演奏部とを同期させることにより現在の演奏情報と次に演奏すべき工工四を表示部に同時に表示させる手段と、
演奏部の演奏情報と表示部の現在の演奏情報と同期して工工四の楽譜に対応した音声データを出力し音として確認できる手段と、
三線の棹の部分に埋め込んだ発光体により現在の演奏情報と次に演奏すべき演奏情報を表示画面の工工四と同期させて光らす手段と、
楽曲の種類によって表示部から調弦の種類が選択できる手段とを具備することを特徴とする。
【００１６】
第３の発明は、三線の楽譜である工工四をもとに作成した演奏情報データの記憶手段を具備することを特徴とする。
【００１７】
第４の発明は、演奏情報として楽曲全体の工工四表示と現在演奏されている工工四表示、次に演奏する工工四表示および、次に押さえる三線の勘所を表示し、楽曲の演奏の進行に応じて前記演奏情報の記憶情報を呼び出して、これらの表示を更新する制御手段とを具備することを特徴とする。
【００１８】
第５の発明は、表示部の表示画面から調弦の種類として本調子、一揚げ調子、二揚げ調子、三下げ調子の中からいずれかを選択することができ、選択した調弦の種類に応じて三線の各勘所に対応した音を音声データとして出力し音で確認できる手段を具備することを特徴とする。
【００１９】
第６の発明は、前記表示を更新する制御手段において、表示画面から演奏モードの選択により演奏者の演奏の進行に応じて表示を更新する方法と演奏者の演奏に関係なく楽曲を自動的に演奏する手段を具備することを特徴とする。
【００２０】
第７の発明は、演奏者が演奏した楽曲を演奏情報データとして記憶する手段と記憶した演奏情報データを再生して音として確認できる手段を具備することを特徴とする。
【００２１】
第８の発明のコンピュータプログラムは、三線の演奏情報の記憶ステップと、演奏情報を表示するステップと、演奏情報を音として出力するステップと、調弦の種類を選択するステップとをコンピュータに実行させることを特徴とする。
【発明の効果】
【００２２】
三線と工工四は琉球古典音楽や琉球民謡には欠かせない楽器と楽譜である。琉球古典音楽の三線奏者は人間国宝にも指定されておりこれら琉球古典音楽は貴重な文化遺産である。本発明によれば、多くの初心者が工工四を見ながらすぐにでも三線が弾けるようになるため貴重な文化遺産を継承できる。
また、近年インターネット販売等により三線の需要が全国的な広がりを見せている、しかし沖縄県外においては三線の指導者や三線教室が少ないため初心者にとっては三線の習得に困難をきたしている。
このような状況の中で本発明によれば初心者でも容易に三線演奏技術を習得することができ、更なる三線の普及に貢献できる。
また本発明によれば工工四が初心者にとって難解なため新たな楽譜へ書き換えるという煩雑さを解消できる。
また演奏者の演奏情報を音として確認できるので調弦が正しく行われているか、演奏が正しく行われているか確認することができるので練習効果が飛躍的に上がる。
【００２３】
さらに前述した演奏情報データ作成プログラムは過去の文化遺産である工工四を演奏情報データ化するだけではなくユーザー独自で作曲した楽曲を電子ファイルとしてインターネット上へ配信することにより多くの三線演奏者がインターネット上から自由にダウンロードし楽曲を再生することによって三線演奏による音楽を楽しむことができので三線への興味がワールドワイドに広がり三線のニーズもさらに拡大する。
【発明を実施するための最良の形態】
【００２４】
本発明を実施する形態を図を参照しながら説明する。
図１は、本発明の構成の１例を示す。本体部Aには、演奏者が三線を演奏する場合、勘所を押さえたことを検出する図２に記載する演奏操作子スイッチA102が工工四で表現される各音に対応した三線の各勘所の位置にそれぞれ配設されている。
【００２５】
本体部Aには、現在の演奏情報と次に演奏すべき演奏情報を表示するため、2色のＬＥＤを上記の各勘所の位置に設置された各演奏操作子スイッチA102の近くに図２に記載する勘所表示用ＬＥＤ,A101,A103がそれぞれ配設されている。
【００２６】
本体部Aには、三線の3本の弦すなわち男弦（ウージル）、中弦（ナカジル）、女弦(ミージル)に対応した弦の撥弦を検出する撥弦部A2が配設されている。
【００２７】
本体部Aには図示されていないが、上記の撥弦部A2の配設されている位置の筺体内部には、図４で示す回路構成ブロック図のコンピュータ部PCおよび制御部CRが配設されている。
【００２８】
本体部Aには、演奏者のじゃまにならない位置に、上記コンピュータ部PCに含まれる入出力インタフェースCを配設し、モニタ、キーボード、マウス、マイク、ＵＳＢ、ＬＡＮ等の端子が接続できるように配設してある。
また図４で示す音声発音回路K8の出力を調整するボリュームA3が演奏者の操作しやすい場所、本対部Aの表面に配設されている。さらに、音声発生回路の出力に接続されたスピーカA4が演奏者が音を確認しやすい場所、本体部Aの表面に配設されている。
【００２９】
図１に記載するモニタHは、演奏モード、調弦、曲選択、演奏タイプ、工工四、勘所等を選択表示するための表示器である。本実施の形態では液晶ディスプレイを示しているが、ＣＲＴまたはＮＴＳＣコンバータを設け、外部テレビを表示画面として利用しても良い。
また、モニタHが接続されていなくても本体部Aのみでも、後述する工工四表示機能以外の機能は全て動作可能である。
【００３０】
本体部Aには、モード選択等のナビゲーション情報を表示するＬＣＤ表示器Bとモード選択等を行う設定操作子S1〜S5が設けられた後述する操作パネルSが演奏者の見やすい位置、操作しやすい位置に本体部Aの側面に配設されている。
【００３１】
図３に本発明の操作パネルSの１例を示す。
ＬＣＤ表示器Bは三線練習支援装置の起動、停止、モード選択切り替え、調弦の選択等の表示を行う。図１でモニタHが接続されていないときは、演奏者はこのＬＣＤ表示器Bによりナビゲーションを行う。
また、設定操作子S1〜S5は、モード選択切り替え、調弦、楽曲選択、伴奏タイプ選択、録音・再生選択、演奏開始・停止等の選択及び三線練習支援装置の起動・停止を行うためのスイッチである。
設定操作子S1〜S4は、ロータリーエンコーダ、ジョイスティック等ユーザーの入力に応じた信号を出力できるものならどの様なものでも良い。
【００３２】
上記操作パネルSにおいて設定操作子S1〜S4により、図１１で示す画面表示処理のモード選択や次モード選択を行う。また、設定操作子S5は本三線練習支援装置の起動・停止を行うスイッチである。
【００３３】
図４に本発明の回路構成のブロック図の１例を示す。コンピュータ部PCはバスK1、ＣＰＵK2、ＲＯＭK3，ＲＡＭK4，通信インタフェースK5、外部記憶媒体装着部K6入出力インタフェースC、ソフトウェアSWから構成されている。
コンピュータ部PCは、デスクトップ型パソコンやノート型パソコン等を使用しても良い。
【００３４】
外部記憶媒体装着部K6は、例えばフレキシブルディスク、ハードディスク、光ディスク、光磁気ディスク、光磁気ディスク、CD-ROM、不揮発性メモリカード、ROM等を併用することができる。
【００３５】
ソフトウェアSWは本実施形態を実現するための後述する図１０、図１１のフローチャートで示されるソフトウェアのプログラムおよび各種デバイスを動作させるためのプログラム、およびコンピュータ部PCを制御するプログラムが含まれる。
【００３６】
また本実施形態ではソフトウェアSWの中にＭＩＤＩ規格（Musical Instrument Digital Interface）データにより音を発生するソフトウェアすなわちソフトウェア・シンセサイザ・プログラムが記憶されている。ただし、本実施形態ではソフトウェア・シンセサイザ・プログラムを音源に使用しているが、ＭＩＤＩ規格データで動作するハードウェア音源、またＭＩＤＩ規格に限定されないハードウェア音源、ＭＰ３方式音声データ記憶再生回路、独自の方式で音声データを記憶再生するものを使用しても良い。
【００３７】
制御部CRは制御回路１K9、制御回路２K13、弦信号検出部K10、エンコーダ回路K11、デコーダ回路K12から構成される。また、図には示していないが制御回路１K9および制御回路２K13はコンピュータを内蔵しプログラムによりデータの処理、信号の処理を行う。
【００３８】
撥弦部A2は三線の3本の弦に相当する弦部と3本の弦の内どの弦が撥弦されたかの検出及び撥弦の強弱を音の強弱信号として電気信号の強弱へ変換する素子で構成される。弦信号検出部K10はA/D変換回路等から構成され、撥弦部のアナログ信号をディジタル信号へ変換する。弦信号検出部K10により検出された撥弦信号は制御回路１K9によりＭＩＤＩ規格データへ変換され、コンピュータ部PCへ出力される。
【００３９】
勘所表示用ＬＥＤ部A101は、図８に示す工工四をもとに作成された楽曲の演奏情報データに含まれる工工四情報に応じて、コンピュータ部PCから出力された表示情報により、現在の演奏情報と次に演奏すべき演奏情報とを２色のＬＥＤA101,A103でそれぞれ同時に表示する。
【００４０】
演奏操作子A102は、工工四の各音に対応した勘所の位置にそれぞれ配設され、演奏者が演奏した工工四の音に対応した音の高さの信号として検出する。演奏操作子A102で検出された信号は、ＭＩＤＩ規格のデータに変換され、制御回路１からコンピュータ部PCへ出力する。
【００４１】
制御回路１は、弦信号検出部K10の弦信号検出を行う処理、演奏操作子A102により音の高さの信号を検出する処理、勘所表示用ＬＥＤA101の表示処理、制御回路２K13との間のデータ送受信を行う。制御回路２K13は操作パネルSのＬＣＤ表示器Bの表示処理、および設定操作子S1〜S5の処理を行う。
【００４２】
また、前述したように制御回路１とコンピュータ部PCとの間でデータの送受信の処理を行っているが、本実施形態ではＭＩＤＩ規格のデータ形式を使用しているが、送受信のデータ形式はＭＩＤＩ規格以外のデータ形式、アスキー形式、バイナリ形式等でも良い。またインタフェース方式はＭＩＤＩインタフェースに限定するものではない、ＲＳ２３２Ｃ、ＵＳＢ、その他の汎用インタフェース方式及び独自のインタフェース方式を使用しても良い。
【００４３】
図５に琉球古典音楽の工工四楽曲の１部分を示す。
工工四では、1個の長方形を一拍とし、長方形の半分の長さ、すなわち半拍を五分、長方形の４分の１の長さすなわち１／４拍を二分五厘、で表す。また、文字の大きさで撥弦の強さを表し、大字は普通の強さで發弦し普通の大きさの音を出す、小字は小音を出すように弱く發弦する。
【００４４】
図６及び図７に演習情報データ作成プログラムの操作画面の１例を示す。
三線の楽譜である工工四をもとに演奏情報データ作成プログラム図６により本発明の演奏情報データの記憶手段である演奏情報データ図８を出力するものである。本実施の形態においては、演奏情報データはＭＩＤＩ規格ＳＭＦ（Standard Midi File）の電子データへ変換しさらに工工四の情報を付加する例を示しているが、ＭＩＤＩ規格に限定するものではない、他の標準化されたデータ形式や独自のデータ形式でも良い。
【００４５】
演習情報データ作成プログラム図６の機能について説明する。再生ボタンＭ１は作成中の演奏情報データを再生し音声で楽曲を確認できる、再生バーＭ２は再生中の曲の所要時間を表す、作成ボタンＭ３は作成中の演奏情報データを電子データとして保存する、音選択ボックスＭ４は工工四の各音を選択する、拍選択ボタンＭ５は拍を選択する、調弦選択ボタンＭ６は調弦の種類を選択する、Ｍ７〜Ｍ１０はデータの追加・削除の編集を行うためのボタンである、表示ウィンドウＭ１１は現在作成中の演奏情報データを表示する、保存先ボックスＭ１２は演奏情報データ図８の保存先を絶対パスで指定する、三線画像Ｍ１３は三線の画像と勘所を表す。
【００４６】
図８で示す演奏情報データでは工工四の一拍を五線譜でいう四分音符、五分を八分音符、二分五厘及び七分五厘を十六分音符でそれぞれ表す。文字の大きさをＭＩＤＩ規格のパラメータであるベロシティ（音の強さ）へ工工四の各音をＭＩＤＩ規格のパラメータであるノートナンバー（音の高さ）へ変換する。
【００４７】
三線の調弦で本調子における工工四の各音と音階の関係は下記の通りである。合＝ド、乙＝レ、老＝ミ、四＝ファ、上＝ソ、中＝ラ、尺＝シ、工＝ド、五＝レ、六＝ミ、七＝ファ、八＝ソ、ただし、工、五、六、七、八は１オクターブ上の音階である。また合、四、工はそれぞれ男弦、中弦、女弦の開放弦の音である。
【００４８】
演奏情報データ図８のノートナンバーは、上記工工四の各音階をＭＩＤＩ規格のノートナンバーへ変換したもので、上記工、五の場合は工＝ド＝ノートナンバー６０、五=レ＝ノートナンバー６１、として得られる。工工四の他の音についても同様にしてノートナンバーを得る。
ただし、この変換は上記工工四の各音と音階の関係及び音階とノートナンバーの関係に限定するものではない。キーの高さ（主音をどの高さにするか）によって変えても良い。
【００４９】
図９にモニタHの表示画面の１例を示す。画面表示の表示処理は図１１の画面表示処理のフローチャートにそって表示処理する。表示H1〜H7の各モード表示の選択は図３の操作パネルの設定操作子S1〜S4により選択する。また図４の入出力インタフェースCに接続されたキーボードでも選択できる。
【００５０】
図９のモニタHの表示画面で表示H1は図１１の画面表示処理のステップF10,F11,F12から選択する、表示H2は図１１のステップF2、F5から選択する、表示H3は図１１のステップF3,F6,F8から選択する。表示H4は楽曲のテンポの表示で楽曲の自動演奏中に設定操作子S3,S4により演奏テンポを数値で指定する。表示H5は表示H2で選択された調弦の種類を表示する。表示H6は表示H2で選択された曲選択表示と表示H3で選択されたステップF6の待ち再生か、連続再生かを表示する。表示H7はF1を選択したときの曲の演奏の開始・停止の状態を表示する。表示H8は表示H2で選択された工工四の楽曲を表示し演奏情報データをもとに現在演奏すべき音の工工四の漢字を色を変えて表示し及び漢字を明るく光らす。表示H9は三線の三本の弦と勘所の位置および勘所を押さえる指を示す、また演奏情報データ作成ソフト図６で作成した図８の演奏情報データをもとに現在の演奏すべき勘所の位置と工工四の漢字および次に演奏すべき勘所の位置と工工四の漢字を２色でそれぞれ同時に表示し及び漢字を明るく光らす。表示H10及び表示H11は現在演奏すべき音及び次に演奏すべき音を工工四の漢字でそれぞれ色を変えて表示し及び漢字を明るく光らす。
【００５１】
図１０に本三線練習支援装置を制御するプログラムの処理の流れの一例を示す。図３の起動・停止ボタンS5により本装置が起動するとステップP1でハードウェア、ソフトウェアの初期化処理が行われたのち、ステップP2により初期画面が表示される。次に図３の設定操作子S1〜S4の操作によりステップP10の各種イベントが発生するとステップP3の設定操作子処理が実行される、設定操作子S1,S2によりモードが選択されるとステップP7の各モード処理が実行される。ステップP5の演奏情報データ処理は制御回路１から入力されるＭＩＤＩ規格信号および図８で示す演奏情報データに含まれるＭＩＤＩ規格信号を処理し、ソフトウェア・シンセサイザによる音の発生処理をステップP８で行う。ステップP6の工工四表示処理は図８で示す演奏情報データに含まれる工工四情報により図９のモニタHの表示H8、H9、H10、H11で示される工工四の各漢字および勘所の位置の表示を行う。ステップP9のＬＥＤと勘所の表示処理は図３に記載する三線の各勘所に配設された２色のLED、A101,A103の表示処理を行う。
【００５２】
図１１により各モードの動作について説明する。
ステップF1の演奏モード時はステップF2の各調弦の種類の選択で本調子、一揚げ調子、二揚げ調子、三下げ調子の中から選択できる。調弦を変更した場合における工工四の各音は図１の本体部Aにより音として確認できる。これにより調弦ができない初心者でも、すぐに三線を演奏することができる。また、伴奏機能によりあらかじめ図４の外部記憶媒体装置部K6に装着したメディアに記憶しておいた他の楽器たとえば琴や太鼓等のＭＩＤＩデータを使用して伴奏を伴う演奏ができる。
【００５３】
ステップF4のガイド演奏モードは、あらかじめ図６の演奏情報データ作成プログラムで作成した図８の演奏情報データをもとに曲の選択やテンポを替えた演奏ができる。またステップF6の演奏タイプの選択機能で待ち再生を選択すると、図１の本体部Aで演奏者が演奏する音と図９の表示H8、H9、H10,H11および勘所表示用LEDA1が一音毎に同期して演奏を進行することができる。これにより演奏者は工工四が理解できていなくても画面の表示及びLEDA101,A103の表示に従って三線を演奏することができる。
図９の表示H6で連続再生を選択すると図１の本体部Aで演奏者が演奏する音のリズムと図９の表示H9、H10,H11および勘所表示用LEDA101,A103は同期せずにあらかじめ設定された図８の演奏情報データのリズムと表示H4で選択したテンポで楽曲を自動的に演奏することができる。これにより演奏者はCD等のメディアに録音された楽曲の音源が不要になる。
また上記演奏タイプで発音する音は演奏者の演奏音と図８の演奏情報データによる演奏音が再生されるので両者の音の比較により演奏者は正しく演奏できたか判断することができる。
【００５４】
ステップF7の録音・再生モード選択表示は演奏者が演奏した楽曲の演奏情報をＭＩＤＩ規格の電子データとして外部記憶媒体へ記憶できる。また記憶した電子データをもとに、楽曲を再現できる。記憶した電子データはインターネット等によりワールドワイドに配信できる。
【００５５】
上記モードは本装置の機能の組み合わせの一例を示すものであり限定するものではない。演奏者の演奏技術の習得度に応じて各種機能を組み合わせても良い。
【図面の簡単な説明】
【００５６】
【図１】三線練習支援装置の本体部の１例とモニタ部の１例からなる構成を示した図である。
【図２】現在の演奏情報と次に演奏すべき演奏情報を表示するLED部分と演奏者が指で押した勘所の情報を検出するスイッチ部分から構成される図である。
【図３】各モード選択等を行うスイッチとモードの表示等ナビゲーションを行う操作パネルの図である。
【図４】三線練習支援装置の概略構成の１例を示すブロック図である。
【図５】工工四の１部を示す図である。
【図６】演奏情報データ作成プログラムの表示画面の１例を示す。
【図７】図６の中の音の選択、拍の選択、調弦の選択、及び表示ウェインドウの１例を示す図である。
【図８】図６、図７で示す演奏情報データ作成プログラムによって作成した演奏情報データの１例を示す図である。
【図９】モニタ部の表示画面の１例を示す図である。
【図１０】コンピュータ部にて実行されるメインプログラムの処理の１例を示すフローチャートである。
【図１１】モニタ部の表示画面の処理の１例を示すフローチャートである。
【符号の説明】
【００５７】
Ａ  三線練習支援装置本体部、Ｂ  ＬＣＤ表示器、Ｃ  入出力インタフェース、Ｈ  モニタ、Ｍ  演奏情報データ作成プログラム、Ｓ  操作パネル、Ａ１  操作子部、ＣＲ  制御部、ＰＣ  コンピュータ部、ＳＷ  ソフトウェア
【図１】
2009092988.tif 000003
【図２】
2009092988.tif 000004
【図３】
2009092988.tif 000005
【図４】
2009092988.tif 000006
【図５】
2009092988.tif 000007
【図１０】
2009092988.tif 000008
【図１１】
2009092988.tif 000009
【図６】
2009092988.tif 000010
【図７】
2009092988.tif 000011
【図８】
2009092988.tif 000012
【図９】
2009092988.tif 000013